【手続補正書】
【提出日】令和3年9月13日(2021.9.13)
【手続補正１】
【補正対象書類名】特許請求の範囲
【補正対象項目名】全文
【補正方法】変更
【補正の内容】
【特許請求の範囲】
【請求項１】
圧力室内の液体を吐出口から吐出可能な液体吐出ヘッドに液体を供給する液体供給装置であって、
前記圧力室に連通する液体の供給流路と、
前記圧力室に連通する液体の回収流路と、
前記供給流路内の圧力を第１圧力に制御する第１圧力制御部と前記回収流路内の圧力を第１圧力よりも低い第２圧力に制御する第２圧力制御部とを含み、前記供給流路から前記圧力室内に液体を供給し、かつ前記回収流路から前記圧力室内の液体を回収するように、前記供給流路内と前記回収流路内との間に圧力差を生じさせる圧力制御手段と、
前記回収流路内の圧力が所定圧以下のときに、前記回収流路から前記圧力室に液体を供給して前記回収流路内の圧力の低下を補償する圧力補償手段と、
前記第２圧力制御部よりも、前記回収流路による液体の回収方向の下流側の位置に配された吸引ポンプと
を備えることを特徴とする液体供給装置。
【請求項２】
前記回収流路の前記第２圧力制御部よりも液体の回収方向の上流側の位置と、前記回収流路の前記第２圧力制御部よりも前記回収方向の下流側の位置と、の間にバイパス流路を備えることを特徴とする請求項１に記載の液体供給装置。
【請求項３】
前記バイパス流路に開閉制御可能なバイパス弁を備えることを特徴とする請求項２に記載の液体供給装置。
【請求項４】
液体を収容可能な第１タンクおよび第２タンクと、
前記供給流路の前記第１圧力制御部よりも液体の供給方向の上流側の第１位置を前記第１タンクに接続し、かつ前記回収流路の前記第２圧力制御部よりも液体の回収方向の下流側の第２位置を前記第２タンクに接続する第１形態と、前記第１位置を前記第２タンクに接続し、かつ前記第２位置を前記第１タンクに接続する第２形態と、の切替えが可能な切替え手段と、
を備えることを特徴とする請求項１から３のいずれか１項に記載の液体供給装置。
【請求項５】
前記供給流路の前記第１圧力制御部よりも液体の供給方向の下流側の第３位置を前記圧力室の一方側に接続し、かつ前記回収流路の前記第２圧力制御部よりも液体の回収方向の上流側の第４位置を前記圧力室の他方側に接続する第１形態と、前記第３位置を前記圧力室の他方側に接続し、かつ前記第４位置を前記圧力室の一方側に接続する第２形態と、の切替えが可能な切替え手段を備えることを特徴とする請求項１から４のいずれか１項に記載の液体供給装置。
【請求項６】
圧力室内の液体を吐出口から吐出可能な液体吐出ヘッドに液体を供給する液体供給装置であって、
前記圧力室に連通する液体の供給流路と、
前記圧力室に連通する液体の回収流路と、
前記供給流路から前記圧力室内に液体を供給し、かつ前記回収流路から前記圧力室内の液体を回収するように、前記供給流路内と前記回収流路内との間に圧力差を生じさせる圧力制御手段と、
前記回収流路内の圧力が所定圧以下のときに、前記回収流路から前記圧力室に液体を供給して前記回収流路内の圧力の低下を補償する圧力補償手段と、
を備え、
前記圧力制御手段は、前記供給流路による液体の供給方向の上流側に備えられて前記供給流路内の圧力を制御する第１圧力制御部と、入口が前記回収流路による液体の回収方向の下流側に接続され、かつ出口が前記圧力制御手段よりも前記供給流路による液体の供給方向の下流側に接続されるポンプと、を含むことを特徴とする液体供給装置。
【請求項７】
圧力室内の液体を吐出口から吐出可能な液体吐出ヘッドに液体を供給する液体供給装置であって、
前記圧力室に連通する液体の供給流路と、
前記圧力室に連通する液体の回収流路と、
前記供給流路から前記圧力室内に液体を供給し、かつ前記回収流路から前記圧力室内の液体を回収するように、前記供給流路内と前記回収流路内との間に圧力差を生じさせる圧力制御手段と、
前記回収流路内の圧力が所定圧以下のときに、前記回収流路から前記圧力室に液体を供給して前記回収流路内の圧力の低下を補償する圧力補償手段と、
前記圧力制御手段により生じる圧力差の高圧側を前記供給流路に接続し、かつ低圧側を前記回収流路に接続する第１形態と、前記高圧側を前記回収流路に接続し、かつ前記低圧側を前記供給流路に接続する第２形態と、の切替えが可能な切替え手段と
を備えることを特徴とする液体供給装置。
【請求項８】
前記圧力補償手段は、前記第１形態においては、前記圧力制御手段により生じる圧力差の高圧側と前記回収流路とを受動弁を介して接続し、前記第２形態においては、前記高圧側と前記供給流路とを前記受動弁を介して接続するように連通路を切替える切替え手段を備え、
前記受動弁は、前記第１形態においては前記回収流路内の圧力が所定圧以下のときに開き、前記第２形態においては前記供給流路内の圧力が前記所定圧以下のときに開くことを特徴とする請求項７に記載の液体供給装置。
【請求項９】
前記供給流路および前記回収流路は複数の前記圧力室のそれぞれに連通することを特徴とする請求項１から８のいずれか１項に記載の液体供給装置。
【請求項１０】
前記圧力補償手段は、前記回収流路内の圧力が所定圧以下のときに、前記供給流路と前記回収流路とを連通させる連通路を含むことを特徴とする請求項１から９のいずれか１項に記載の液体供給装置。
【請求項１１】
前記圧力補償手段は、前記供給流路内の圧力と前記回収流路内の圧力との差圧に応じて前記連通路を開閉する受動弁を含むことを特徴とする請求項１０に記載の液体供給装置。
【請求項１２】
前記連通路に開閉制御可能な開閉弁を備えることを特徴とする請求項１０または１１に記載の液体供給装置。
【請求項１３】
圧力室、前記圧力室に連通する吐出口、および前記圧力室内の液体を前記吐出口から吐出させるための吐出エネルギーを発生する吐出エネルギー発生素子を備える液体吐出ヘッドと、
請求項１から１２のいずれか１項に記載の液体供給装置と、
を備えることを特徴とする液体吐出装置。
【手続補正２】
【補正対象書類名】明細書
【補正対象項目名】発明の名称
【補正方法】変更
【補正の内容】
【発明の名称】液体供給装置および液体吐出装置
【手続補正３】
【補正対象書類名】明細書
【補正対象項目名】０００１
【補正方法】変更
【補正の内容】
【０００１】
本発明は、インク等の液体を吐出可能な液体吐出ヘッドに液体を供給する液体供給装置および液体吐出装置に関するものである。
【手続補正４】
【補正対象書類名】明細書
【補正対象項目名】０００６
【補正方法】変更
【補正の内容】
【０００６】
本発明の液体供給装置は、圧力室内の液体を吐出口から吐出可能な液体吐出ヘッドに液体を供給する液体供給装置であって、前記圧力室に連通する液体の供給流路と、前記圧力室に連通する液体の回収流路と、前記供給流路内の圧力を第１圧力に制御する第１圧力制御部と前記回収流路内の圧力を第１圧力よりも低い第２圧力に制御する第２圧力制御部とを含み、前記供給流路から前記圧力室内に液体を供給し、かつ前記回収流路から前記圧力室内の液体を回収するように、前記供給流路内と前記回収流路内との間に圧力差を生じさせる圧力制御手段と、前記回収流路内の圧力が所定圧以下のときに、前記回収流路から前記圧力室に液体を供給して前記回収流路内の圧力の低下を補償する圧力補償手段と、前記第２圧力制御部よりも、前記回収流路による液体の回収方向の下流側の位置に配された吸引ポンプとを備えることを特徴とする。